(57)【要約】      （修正有）【課題】光ファイバーやＡＤＳＬを不要とし、複数の情報端末機器に接続し、７．２Ｍｂｐｓの通信速度を有する携帯電話としての機能により情報端末機器を快適に動作する環境を実現し、カードスロットにＵＳＩＭカードを差し込むだけでインターネット接続が可能になるルーター装置を提供する。【解決手段】ＵＳＩＭカードスロットを備えＵＳＩＭカードの挿入により基地局との通信を可能とするＨＳＤＰＡカードと、情報端末機器に通信接続される無線ＬＡＮカードと、イーサネットスイッチ（イーサネットは登録商標）と、所定のプログラムを実行するＣＰＵと、該所定のプログラムおよびグローバルＩＰアドレスの情報を記憶するフラッシュメモリーと、該ＣＰＵが実行するプログラムで必要な一次記憶データを保持するメインメモリーとを有し、複数の情報端末機器に同時に接続できるとともにネットワーク接続機能を備える構成とした。【選択図】図１
0003144780.tif 000002
【実用新案登録請求の範囲】
【請求項１】
使用者情報が記憶されたＵＳＩＭ（Universal Subscriber Identity Module）カードが着脱可能に装着されるＵＳＩＭカードスロットを備え該ＵＳＩＭカードが挿入されることにより該使用者情報を取得して基地局との通信を可能とするＨＳＤＰＡカードまたはＨＳＵＰＡカードと、
情報端末機器に通信接続される無線ＬＡＮカードが着脱可能に装着されるＰＣＩインターフェースおよび／または情報端末機器に通信接続されるＬＡＮケーブルが着脱可能に装着されるＵＳＢコネクターと、
１０ＢＡＳＥ−Ｔおよび１００ＢＡＳＥ−ＴＸに接続可能なイーサネット（登録商標）スイッチと、
所定のプログラムを実行するＣＰＵと、
該所定のプログラムを記憶するとともに使用する機器を識別するためのグローバルＩＰアドレスの情報を保持するフラッシュメモリーと、
該ＣＰＵが実行するプログラムで必要な一次記憶データを保持するメインメモリーと、を有して構成され、
複数の前記情報端末機器に同時に接続でき、前記基地局を介してこれらの情報端末機器を無線ネットワークまたは有線ネットワークに接続するためのネットワーク接続機能を備えている、ことを特徴とするルーター装置。
【請求項２】
前記無線ＬＡＮカードは複数の前記情報端末機器を、Ｂｌｕｅｔｏｏｔｈ １．１(Bluetoothは登録商標：IEEE802.15)またはＷｉＦｉ（WiFiは登録商標：IEEE802.11ｘ）を介して同時に接続することができる、ことを特徴とする請求項１に記載のルーター装置。
【考案の詳細な説明】
【技術分野】
【０００１】
本考案は、通信機能を有するルーター装置に関する。
【背景技術】
【０００２】
従来、パーソナル・コンピュータをインターネットに接続し、情報端末機器として使用する場合は、インターネット・サービス・プロバイダー（以下「ＩＰＳ」という。）が提供する通信用モデムが必要であった。また、近年では、ＰＤＡやノート型パーソナル・コンピュータ等の携帯情報端末機器を外出先でインターネットに接続する場合には、通信用モデムとして携帯電話機が広く用いられるようになってきている。
【０００３】
通信用モデムとして携帯電話機を使用する発明としては、たとえば、特開２００１−１０３１２２号公報に開示の発明の名称「インターネット携帯電話」に係る発明がある。
この発明は、「移動体端末装置のホストとなるコンピュータを利用するユーザからみた場合、無線環境を意識することなく、インターネット接続を可能とした移動体端末装置の提供」を課題として、その解決手段として、「無線処理部を含む移動体端末装置がインターネット・プロトコル処理手段を備え、インターネット・プロトコル処理手段は、移動体端末装置に接続するホストコンピュータからの指示を受けた際に、前記指示を履歴として保存しておき、前記指示の処理を実行中に、無線環境が悪化し、無線回線接続が切断したのち、無線環境が復旧した場合、前記保存されている指示の処理を再び実行するように制御する」構成としている。なお、ここにいう移動体端末装置とは、携帯電話機またはＰＨＳ端末である。
【０００４】
一方で、近年、ＳＩＭカードやＵＳＩＭカードを装着可能な携帯端末が普及してきている。ＳＩＭカードは小型ＩＣカードであり、フラッシュメモリーからなる記憶部と、ＣＰＵ（Central Processing Unit）により構成された中央演算処理部とを備えている。一方、ＵＳＩＭカードは、Ｗ−ＣＤＭＡ（Wideband-Code Division Multiple Access）方式を採用した携帯電話機のように、ＩＭＴ（International Mobile Telecommunication）−２０００の標準規格として採用されている前記ＳＩＭカードの互換ＩＣカードである。
ＳＩＭカードまたはＵＳＩＭカードの記憶部には、移動体通信無線プロトコルの動作に必要な情報、および使用者に関する課金情報や発着信履歴等の各種の情報が必須情報として保存されている。
【特許文献１】特開２００１−１０３１２２号公報
【考案の開示】
【考案が解決しようとする課題】
【０００５】
しかしながら、ＩＰＳが提供する通信用モデムによるインターネット接続は、電話回線を使用するために、光ファイバーやＡＤＳＬ（Asymmetric Digital Subscriber Line）が必要である。また、特開２００１−１０３１２２号公報に開示の発明では、移動体端末装置、すなわち携帯電話機やＰＨＳ端末は、インターネット接続されるパーソナル・コンピュータと１対１で対応し、複数のパーソナル・コンピュータをインターネット接続するものではなく、また、使用する電波も２．４５ＧＨｚ帯のＢｌｕｅｔｏｏｔｈ（登録商標）であるため、通信速度も１Ｍｂｐｓ程度である。
【０００６】
そこで、本考案は、光ファイバーもＡＤＳＬも不要とし、複数のＰＤＡやパーソナル・コンピュータに接続し、７．２Ｍｂｐｓの通信速度を有する携帯電話としての機能によりＰＤＡやパーソナル・コンピュータも快適に動作する環境を実現し、ＵＳＩＭカードスロットに携帯電話に付属のＵＳＩＭカードを差し込むだけでインターネット接続が可能になるルーター装置を提供することを目的とする。
【課題を解決するための手段】
【０００７】
上記目的を達成するため、本願請求項１に係るルーター装置は、使用者情報が記憶されたＵＳＩＭ（Universal Subscriber Identity Module）カードが着脱可能に装着されるＵＳＩＭカードスロットを備え該ＵＳＩＭカードが挿入されることにより該使用者情報を取得して基地局との通信を可能とするＨＳＤＰＡカードまたはＨＳＵＰＡカードと、情報端末機器に通信接続される無線ＬＡＮカードが着脱可能に装着されるＰＣＩインターフェースおよび／または情報端末機器に通信接続されるＬＡＮケーブルが着脱可能に装着されるＵＳＢコネクターと、１０ＢＡＳＥ−Ｔおよび１００ＢＡＳＥ−ＴＸに接続可能なイーサネット（登録商標）スイッチと、所定のプログラムを実行するＣＰＵと、該所定のプログラムを記憶するとともに使用する機器を識別するためのグローバルＩＰアドレスの情報を保持するフラッシュメモリーと、該ＣＰＵが実行するプログラムで必要な一次記憶データを保持するメインメモリーと、を有して構成され、複数の前記情報端末機器に同時に接続でき、前記基地局を介してこれらの情報端末機器を無線ネットワークまたは有線ネットワークに接続するためのネットワーク接続機能を備えている、ことを特徴としている。
なお、使用者情報とは、移動体通信無線プロトコルの動作に必要な情報（例えば、無線区間での移動端末制御に用いられる移動機識別番号（ＩＭＳＩ；International Mobile Subscriber Identity）、自局電話番号等の加入者情報、端末位置情報、暗証番号等のセキュリティ情報）、および各種の使用者情報（例えば課金情報、電話帳、発着信履歴）をいう。
また、本願請求項２に係るルーター装置は、請求項１に記載のルーター装置であって、前記無線ＬＡＮカードは複数の前記情報端末機器を、Ｂｌｕｅｔｏｏｔｈ １．１(Bluetoothは登録商標：IEEE802.15)またはＷｉＦｉ（WiFiは登録商標：IEEE802.11ｘ）を介して同時に接続することができる、ことを特徴としている。
【考案の効果】
【０００８】
本願考案は、上記構成により以下の効果を奏する。
（１）ＵＳＩＭカードスロットにＵＳＩＭカードを挿入することにより、携帯電話の通信機能が発揮されて、基地局を介してインターネットに接続することができる。このため、光ファイバーやＡＤＳＬが不要となる。
（２）また、ＨＳＤＰＡカードまたはＨＳＵＰＡカードでインターネット接続を行なうため、７．２Ｍｂｐｓのパケット通信を実現し、パーソナル・コンピュータ、ＰＤＡ、ゲーム機が快適に動作する。
（３）無線ＬＡＮカードが着脱可能に装着されるＰＣＩインターフェースおよび／またはＬＡＮケーブルが着脱可能に装着されるＵＳＢコネクターを備えているため、パーソナル・コンピュータ、ＰＤＡ等の接続は、無線および／または有線で行なうことができ、接続されたパーソナル・コンピュータ、ＰＤＡ等の相互間においても通信が可能である。
（４）１０ＢＡＳＥ−Ｔおよび１００ＢＡＳＥ−ＴＸに接続可能なイーサネットスイッチにより、イーサネットパケットの処理を１０Ｍｂｐｓ（１０ＢＡＳＥ−Ｔの場合）または１００Ｍｂｐｓ（１００ＢＡＳＥ−ＴＸ）の自動認識を行って実行し、外部インターフェイスとＬＡＮケーブルによる端末との接続を可能にする。
（５）無線ＬＡＮカードは複数の前記情報端末機器を、Ｂｌｕｅｔｏｏｔｈ １．１(IEEE802.15)またはＷｉＦｉ（IEEE802.11ｘ）を介して同時に接続することができるため、データのみならず音声もやりとりすることができる。
【考案を実施するための最良の形態】
【０００９】
以下、本願考案を実施するための最良の形態に係る実施例について、図１に基づいて説明する。なお、図１は、実施例に係るルーター装置の構成概略図であり、符号１はルーター装置、符号１１はＣＰＵ、符号１３はフラッシュメモリー、符号１５はメインメモリー、符号１７はイーサネットスイッチ、符号１９はＵＳＢコネクター、符号２１はＨＳＤＰＡカードまたはＨＳＵＰＡカード（以下、「ＨＳＤＰＡカード（ＨＳＵＰＡカード）」という。）、符号２３はＵＳＩＭカード、符号２５は無線ＬＡＮカード、である。
【００１０】
まず、各部の構成を説明する。
実施例に係るルーター装置１は、ＣＰＵ１１、フラッシュメモリー１３、メインメモリー１５、イーサネットスイッチ１７、ＵＳＢコネクター１９、ＨＳＤＰＡカード（ＨＳＵＰＡカード）２１、ＵＳＩＭカード２３および無線ＬＡＮカード２５、を有して構成される。
【００１１】
ＣＰＵ１１は、所定のプログラムを実行する。そして、メインメモリー１５はシンクロナスＤＲＡＭを使用していて、ＣＰＵ１１が実行するプログラムで必要な一次記憶データを保持する。
【００１２】
フラッシュメモリー１３は、ＣＰＵが実行する所定のプログラムを記憶するとともに、ルーター装置１に接続される情報端末機器のうち、グローバルＩＰアドレスを使用する情報端末機器を識別するための情報を保持する。
【００１３】
イーサネットスイッチ１７は、Ｅｔｈｅｒｎｅｔ（登録商標）の１０ＢＡＳＥ−Ｔおよび１００ＢＡＳＥ−ＴＸを接続することができるスイッチングハブであって、ＭＩＩインターフェース（MII I/F）を介してＣＰＵ１１に接続される。そして、１０ＢＡＳＥ−Ｔおよび１００ＢＡＳＥ−ＴＸに接続可能なイーサネットスイッチにより、イーサネットパケットの処理を１０Ｍｂｐｓまたは１００Ｍｂｐｓの自動認識を行い、外部インターフェイスとＬＡＮケーブルによる端末との接続を可能にする。
【００１４】
ＵＳＩＭカード２３には、例えば無線区間での移動端末制御に用いられる移動機識別番号（ＩＭＳＩ；International Mobile Subscriber Identity）、自局電話番号等の加入者情報、端末位置情報、暗証番号等のセキュリティ情報等の移動体通信無線プロトコルの動作に必要な情報や、例えば課金情報、電話帳、発着信履歴等の各種の使用者情報が記憶されている。
【００１５】
ＨＳＤＰＡカード（ＨＳＵＰＡカード）２１は、シリアル転送インターフェースであるＰＣＩ Ｅｘｐｒｅｓｓを介してＣＰＵ１１に接続し、ＵＳＩＭカード２３が着脱可能に装着されるＵＳＩＭカードスロット（図示外）を備えている。そして、ＵＳＩＭカード２３をＵＳＩＭカードスロットに挿入することにより、使用者情報が取得され図示外の基地局との無線通信が可能となる。
【００１６】
無線ＬＡＮカード２５は、ＰＣＩインターフェース（PCI I/F）を介してＣＰＵ１１に接続し、無線ＬＡＮカード２５により、複数のパーソナル・コンピュータ、ＰＤＡ、ゲーム機等の情報端末機器が無線で接続される。なお、ＵＳＢコネクター１９により、上記の情報端末機器を有線で接続することも可能である。
【００１７】
次に、ルーター装置１の動作について説明する。
【００１８】
ルーター装置１に図示外のＤＣアダプターを接続して電源を入れ、ＨＳＤＰＡカード（ＨＳＵＰＡカード）２１のＵＳＩＭカードスロットにＵＳＩＭカード２３を挿入することにより使用者情報が取得されて、基地局との無線通信が可能となる。
【００１９】
基地局との無線通信により、ルーター装置１はインターネット接続のためのグローバルＩＰアドレスをＨＳＤＰＡカード（ＨＳＵＰＡカード）２１を介して取得する。さらにインターネット上のホスト名とグローバルＩＰアドレスを対応させるＤＮＳ(Domain Name System)のサーバアドレスも自動で取得する。なお、これらのグローバルＩＰアドレスやサーバアドレスは接続の都度変わるので、一時的にフラッシュメモリー１３に蓄えられ、インターネット接続を切断されると、これらグローバルＩＰアドレスやサーバアドレスは消失する。
【００２０】
無線ＬＡＮカード２５および／またはＵＳＢコネクター１９により、１つ以上のパーソナル・コンピュータ、ＰＤＡ、ゲーム機等の情報端末機器が無線および／または有線で接続される。
【００２１】
基地局を介して送られるデータや音声は、所定のプログラムに従ってＣＰＵ１１により処理されて、ルーター装置１に接続されたパーソナル・コンピュータ、ＰＤＡ、ゲーム機等の情報端末機器に送られる。
【図面の簡単な説明】
【００２２】
【図１】図１は、実施例に係るルーター装置の構成概略図である。
【符号の説明】
【００２３】
１  ルーター装置
１１  ＣＰＵ
１３  フラッシュメモリー
１５  メインメモリー
１７  イーサネットスイッチ
１９  ＵＳＢコネクター
２１  ＨＳＤＰＡカード（ＨＳＵＰＡカード）
２３  ＵＳＩＭカード
２５  無線ＬＡＮカード
【図１】
0003144780.tif 000003